(57)【要約】      （修正有）【課題】グレアおよび／または逆戻り眩惑を軽減し、或いは排除するランプ組立体を提供する。【解決手段】ランプ組立体で用いるためのヒートシンクであって、第１仮想平面内にあって光線を放出するための少なくとも１つの光源３０を受けるように適合されている第１部分１４を有した本体と、第１部分１４から伸びて光線の少なくとも一部を遮る遮蔽体５０とを備えている。遮蔽体５０は、グレアや逆戻り眩惑を軽減したり排除したりするのを容易とするよう、光線の少なくとも一部を遮る。遮蔽体５０は、本体に不可分ないし一体的に形成されて、第１仮想平面に略直交する第２仮想平面内にある。【選択図】図４
2018190717.tif 000002
【特許請求の範囲】
【請求項１】
ランプ組立体で用いるためのヒートシンクであって、
第１平面内にある第１部分を有し、その第１部分が、光線を放出するための少なくとも１つの光源を受けて支持するように適合されている本体と、
前記第１部分から伸びて、前記光線の少なくとも一部を遮る遮蔽体と、
を備えたヒートシンク。
【請求項２】
前記遮蔽体は、前記本体に不可分ないし一体的に形成されている、請求項１記載のヒートシンク。
【請求項３】
前記遮蔽体は、前記第１平面に略直交する第２平面内にある、請求項１記載のヒートシンク。
【請求項４】
前記遮蔽体は、前記本体に不可分ないし一体的に形成されている、請求項３記載のヒートシンク。
【請求項５】
前記遮蔽体は、断面において略Ｌ字形を形成するように、前記第１部分と不可分ないし一体的に形成されている、請求項２記載のヒートシンク。
【請求項６】
前記遮蔽体は、前記光線の少なくとも一部のカットオフをもたらし、ないしは画成する縁部を備えている、請求項１記載のヒートシンク。
【請求項７】
前記縁部は真っ直ぐでない、請求項６記載のヒートシンク。
【請求項８】
前記少なくとも１つの光源からの前記光線の少なくとも一部が非光学面の方へ向けられ、前記遮蔽体がそれらの光線を遮る、請求項１記載のヒートシンク。
【請求項９】
当該ヒートシンクは、前記少なくとも１つの光源を取り付けるための着床用区域を備え、前記着床用区域は、前記光源が当該着床用区域上に取り付けられたときに、その光源が前記遮蔽体に対して予め決められた公差内で位置合わせされるように、前記遮蔽体との機能的関係において向きが合わされている、請求項１記載のヒートシンク。
【請求項１０】
前記遮蔽体は、前記本体に不可分ないし一体的に形成されている、請求項９記載のヒートシンク。
【請求項１１】
支持体と、
前記支持体上に取り付けられた反射器と、
ヒートシンクと、
を具備したヘッドランプ組立体であって、
そのヒートシンクが、
第１平面内にある第１部分を有し、その第１部分が、光線を放出するための少なくとも１つの光源を受けるように適合されている本体と、
前記第１部分から伸びて、前記光線の少なくとも一部を遮る遮蔽体と、
を備えている、ヘッドランプ組立体。
【請求項１２】
前記遮蔽体は、前記ヒートシンクの前記本体に不可分ないし一体的に形成されている、請求項１１記載のヘッドランプ組立体。
【請求項１３】
前記遮蔽体は、前記第１平面に略直交する第２平面内にある、請求項１２記載のヘッドランプ組立体。
【請求項１４】
前記遮蔽体は、前記ヒートシンクの前記本体に不可分ないし一体的に形成されている、請求項１３記載のヘッドランプ組立体。
【請求項１５】
前記遮蔽体は、断面において略Ｌ字形を形成するように、前記第１部分と不可分ないし一体的に形成されている、請求項１２記載のヘッドランプ組立体。
【請求項１６】
前記遮蔽体は、前記光線の少なくとも一部のカットオフをもたらし、ないしは画成する縁部を備えている、請求項１１記載のヘッドランプ組立体。
【請求項１７】
前記第１部分は、前記少なくとも１つの光源を取り付けるための着床用区域を備え、前記着床用区域は、前記光源が当該着床用区域上に取り付けられたときに、その光源が前記遮蔽体に対して予め決められた公差内で位置合わせされるように、前記遮蔽体との機能的関係において向きが合わされている、請求項１１記載のヘッドランプ組立体。
【請求項１８】
前記遮蔽体は、前記ヒートシンクの前記本体に不可分ないし一体的に形成されている、請求項１７記載のヘッドランプ組立体。
【請求項１９】
前記支持体は、ヘッドランプ・ハウジング、反射器、またはヘッドランプ・ベゼルのうちの少なくとも１つである、請求項１２記載のヘッドランプ組立体。
【請求項２０】
一体化された遮蔽体を伴うヒートシンクを作るための方法であって、
ヒートシンクの形状を、予め決められた形状構成へと折り曲げ、ないしは形成する段階であって、折り曲げられ、ないしは形成された前記ヒートシンクの形状の少なくとも一部によって前記遮蔽体が画成されるようにする段階、
を備え、
前記ヒートシンクが一体品構造で形成される、方法。
【発明の詳細な説明】
【技術分野】
【０００１】
この発明は、車両のランプ組立体に関し、より特定的には光遮蔽体を伴うヒートシンクを有した車両のランプ組立体に関する。
【背景技術】
【０００２】
車両の照明システムの分野において、政府の規制は、放出されたビームが所定のパターンに適合することを要求している。例えば、ヘッドランプはロービームとハイビームとを作り出すことが求められる。ハイビームは、運転者の見ることのできる距離を最大限にするために、自らの光の大部分を真っ直ぐ前方へと放つ。しかしながら、ハイビームは概して、当該車両の前方にいるか当該車両に向かって対向してくるかのいずれかの別車両が道路上に存在するとき、安全に用いるには強すぎるグレア（眩輝）を生じさせてしまう。
【０００３】
上向きに投射された光は、霧や、雨や、雪の中を運転するときには、水滴の再帰反射のせいで運転者を「逆戻り眩惑」してしまう可能性もある。図１は、発光ダイオード（ＬＥＤ）から放出された迷光光線を示す、従来技術のヘッドランプ組立体の一部を描いている。光源によって放出された光線は、制御されておらず、従ってヘッドランプから統制されずに出て行く。迷光光線は、グレアや逆戻り眩惑を生じさせる可能性がある。
【０００４】
時には下向き（すれ違い）ビームと呼ばれるロービームは、より制御されたビームパターンの上向き光を有すると共に、自らの光の大部分を下方と、（右側通行の国々では）右方または（左側通行の国々では）左方へ向ける。それは、対向してくる運転者への過剰なグレアや、当該車両の運転者への逆戻り眩惑を伴うことなく、安全な前方視認性をもたらすようにである。
【０００５】
更に、大部分の国際的な規制は、先行し、或いは対向して来る自動車における運転者の目の中へ大量の光が放たれるのを防止する、鮮明で非対称なカットオフを伴ったビームを指定している。
【０００６】
幾つかの用途においては、ヘッドランプ組立体内の反射器とレンズとの間に、可動式の遮蔽体、シェード、ないしマスクが設置されている。遮蔽体の上縁部が突き出ることによって、規制を満たすためにビームパターンを形作るのを助けるビームのカットオフがもたらされる。遮蔽体、シェード、ないしマスクは、多くの場合にヘッドランプ組立体内の別体部品であり、一部の用途では、当該遮蔽体、シェード、ないしマスクを非作用位置と作用位置との間で動かすのに別体の駆動器（ソレノイドなど）を要する。
【０００７】
従って必要とされるのは、グレアや逆戻り眩惑を軽減したり排除したりするために、発光ダイオード（ＬＥＤ）などの光源からの直接光を遮蔽する目的で、ビームパターンを遮蔽するための、改良されたシステムや方法である。
【発明の概要】
【発明が解決しようとする課題】
【０００８】
従って本発明の主たる目的は、グレアおよび／または逆戻り眩惑を軽減し、或いは排除するランプ組立体を提供することである。
【０００９】
本発明のもう一つの目的は、グレアや逆戻り眩惑を軽減させるために光ビームの少なくとも一部を遮蔽するように適合されたヒートシンクを有するランプ組立体を提供することである。
【００１０】
本発明の更にもう一つの目的は、少なくとも１つの光源がその上に取り付けられると共に、グレアや逆戻り眩惑を軽減させるために当該少なくとも１つの光源からのビームの少なくとも一部を遮蔽するための遮蔽体を有したヒートシンクを提供することである。
【００１１】
本発明のもう一つの目的は、当該ヒートシンクに不可分ないし一体的に形成された遮蔽体を有するヒートシンクを提供することである。
【００１２】
本発明の尚もう一つの目的は、ヒートシンクの遮蔽体に対して、発光ダイオード（ＬＥＤ）などの光源の位置や向きを合わせる、ランプ組立体で用いるためのヒートシンクを提供することである。
【００１３】
本発明の更にもう一つの目的は、同時に光源を支持するところのヒートシンクの一部として直接的に付加され、不可分に形成され、或いは一体的に形成された遮蔽体を提供することである。
【００１４】
本発明のもう一つの目的は、光源と直接的に関連付けられて影響し合う関係にある遮蔽体を有し、ヒートシンク上に取り付けられた光源に対しての、遮蔽体についての定置、位置合わせ、および公差の制御を可能とするヒートシンクを提供することである。
【００１５】
本発明のもう一つの目的は、光源に対して遮蔽体を精確に定置して位置合わせするためのシステムおよび方法を提供することである。
【００１６】
本発明のもう一つの目的は、光源に対して遮蔽体を定置するため、および遮蔽体をヒートシンクへと統合することによって存在する部品の数を減少させるためのシステムおよび方法を提供することである。
【００１７】
本発明のもう一つの目的は、グレアや逆戻り眩惑を軽減するように光源からの光を遮蔽するだけでなく、輸送段階や組立段階における光源の保護をもなす遮蔽体を提供することである。
【００１８】
本発明のもう一つの目的は、ヒートシンクに不可分ないし一体的に形成された遮蔽体を提供することである。
【００１９】
本発明のもう一つの目的は、周囲の部品類への熱的な制約を生じさせるＬＥＤの熱／出力の直接的な露出の危険性、或いは太陽光線が光学面へ逆向きに集束してホットスポットを生じさせる危険性を低減させるために、特定用途に対してカスタマイズすることのできる遮蔽体を有したヒートシンクを提供することである。
【課題を解決するための手段】
【００２０】
一つの態様において、本発明の一実施形態は、ランプ組立体で用いるためのヒートシンクであって、第１平面内にあって光線を放出するための少なくとも１つの光源を受けて支持するように適合されている第１部分を有した本体と、第１部分から伸びて光線の少なくとも一部を遮る遮蔽体と、を備えたヒートシンクを含んで成る。
【００２１】
もう一つの態様において、本発明の一実施形態は、支持体と、支持体上に取り付けられた反射器と、ヒートシンクとを具備したヘッドランプ組立体であって、そのヒートシンクが、第１平面内にあって光線を放出するための少なくとも１つの光源を受けるように適合されている第１部分を有した本体と、第１部分から伸びて光線の少なくとも一部を遮る遮蔽体とを備えている、ヘッドランプ組立体を含んで成る。
【００２２】
更にもう一つの態様において、本発明の一実施形態は、一体化された遮蔽体を伴うヒートシンクを作るための方法であって、ヒートシンクの形状を、予め決められた形状構成へと折り曲げ、ないしは形成する段階であって、折り曲げられ、ないしは形成されたヒートシンクの形状の少なくとも一部によって遮蔽体が画成されるようにする段階を備え、ヒートシンクが一体品構造で形成される、方法を含んで成る。
【００２３】
この発明（本明細書で示され、説明された全ての実施形態を含む）は、単独で、若しくは一緒に、および／または、以下の特徴の一覧のうちの１つないし複数に包含される１つないし複数の特徴と組み合わされて用いることができるであろう。
・  遮蔽体が、本体に不可分ないし一体的に形成されているヒートシンク。
・  遮蔽体が、第１平面に略直交する第２平面内にあるヒートシンク。
・  遮蔽体が、断面において略Ｌ字形を形成するように、第１部分と不可分ないし一体的に形成されているヒートシンク。
・  遮蔽体が、光線の少なくとも一部のカットオフをもたらし、ないしは画成する縁部を備えているヒートシンク。
・  縁部が真っ直ぐでないヒートシンク。
・  少なくとも１つの光源からの光線の少なくとも一部が非光学面の方へ向けられ、遮蔽体がそれらの光線を遮るヒートシンク。
・  当該ヒートシンクが、少なくとも１つの光源を取り付けるための着床用区域を備え、着床用区域は、光源が当該着床用区域上に取り付けられたときに、その光源が遮蔽体に対して予め決められた公差内で位置合わせされるように、遮蔽体との機能的関係において向きが合わされているヒートシンク。
・  遮蔽体が、ヒートシンクの本体に不可分ないし一体的に形成されているヘッドランプ組立体。
・  遮蔽体が、第１平面に略直交する第２平面内にあるヘッドランプ組立体。
・  遮蔽体が、断面において略Ｌ字形を形成するように、第１部分と不可分ないし一体的に形成されているヘッドランプ組立体。
・  遮蔽体が、光線の少なくとも一部のカットオフをもたらし、ないしは画成する縁部を備えているヘッドランプ組立体。
・  第１部分が、少なくとも１つの光源を取り付けるための着床用区域を備え、着床用区域は、光源が当該着床用区域上に取り付けられたときに、その光源が遮蔽体に対して予め決められた公差内で位置合わせされるように、遮蔽体との機能的関係において向きが合わされているヘッドランプ組立体。
・  支持体が、ヘッドランプ・ハウジングまたはヘッドランプ・ベゼル（枠）の少なくとも一方であるヘッドランプ組立体。
【００２４】
本発明のこれらの、或いは他の目的および利点は、以下の説明、添付図面、および付帯特許請求の範囲から明らかとなるであろう。
【図面の簡単な説明】
【００２５】
【図１Ａ】制御ないし遮蔽されておらず、潜在的にグレアや逆戻り眩惑を生じさせ得る直接的なＬＥＤ光線を描いている、従来技術のヘッドランプ組立体の一部および反射器Ｒの斜視図。
【図１Ｂ】制御ないし遮蔽されておらず、潜在的にグレアや逆戻り眩惑を生じさせ得る直接的なＬＥＤ光線を描いている、従来技術のヘッドランプ組立体の一部および反射器Ｒの斜視図。
【図２Ａ】灯火モジュールと本発明の一実施形態によるヒートシンクとを有するヘッドランプ組立体を備えた車両の部分図。
【図２Ｂ】灯火モジュールと本発明の一実施形態によるヒートシンクとを有するヘッドランプ組立体を備えた車両のもう一つの部分図。
【図３】本発明の一実施形態によるヒートシンクの斜視図。
【図４】図３に示すヒートシンクの別視点からの図であって、遮蔽体と、光源、即ちＬＥＤとの間の関係を含む当該実施形態の様々な特徴を描いている図。
【図５】本発明の一実施形態による熱遮蔽体の斜視図であって、やはり熱遮蔽体上に取付けられたＬＥＤに対して直接的に関連付けられて位置合わせされて、光源に対する遮蔽体についての公差内であり得る最適な上部配置を可能とする遮蔽体を描いている図。
【図６】遮蔽縁部の異なる実施形態同士の部分図。
【発明を実施するための形態】
【００２６】
図２Ａは、本発明の一実施形態によるランプ組立体１０を示している。この実施形態においてランプ組立体１０は、ハイビームとロービームとを投射するためのヘッドランプ組立体である。図示例においてランプ組立体１０は、図２Ａの部分図に示す車両Ｖ上に取り付けられている。図２Ｂは、ランプ組立体１０が車両Ｖ上に取り付けられた、本発明のもう一つの実施形態を示している。
【００２７】
図３から図５を参照すると、ランプ組立体１０は、第１部分１４、第２部分１６、および結合部分１８を有する本体１１を備えたヒートシンク１２を具備している。その結合部分１８は、第１部分１４を第２部分１６と結合させている。図３に示すように、本体１１は、不可分ないし一体的な構造である。その構造は、図示するように略Ｌ字形となっている。
【００２８】
ヒートシンク１２の第２部分１６は、複数の穴ないし開口２０を備えている。それらの穴ないし開口２０は、金物類（例えば、少なくとも１つの固定具、設置ないし位置合わせ用のポスト（図示せず）、ケーブルのハーネスないしクリップ、または、反射器（図示せず）若しくはハウジング（図示せず）上にヒートシンク１２を取り付けるための他の金物（図示せず）など）を受け入れるように適合されている。ヒートシンク１２は、従来知られたやり方でヘッドランプ・ハウジング２２上に当該ヒートシンク１２を設置するのを更に容易とし得る、１つないし複数の翼状部２４および２６を備えていてよい、ということに留意されたい。
【００２９】
ヒートシンク１２の第１部分１４は、略平坦な表面１４ａと、少なくとも１つの光源３０を取り付けるための光源取付けないし着床用区域２８（図５）とを備えている。少なくとも１つの光源３０は例えば、発光ダイオード（ＬＥＤ）、有機ＬＥＤ、高度にピクセル化されたＬＥＤ、またはレーザーダイオードなどである。略平坦な表面１４ａはまた、プリント回路基板ないしＰＣＢ３２を支持してもいる。そのプリント回路基板ないしＰＣＢ３２は、複数の導体３４、電気接続体、ワイヤ、またはケーブルリボン（平型ケーブル：図示せず）で、少なくとも１つの光源３０に結合されている。少なくとも１つの光源３０は、道路に対して横向きに（図５参照）、ないしは縦向きに、或いは如何なる所望の角度でも取り付けることができる、ということも理解されたい。プリント回路基板ないしＰＣＢ３２は、少なくとも１つの光源３０に電力を供給すると共に、その光源３０の作動を制御する。光源取付けないし着床用区域２８は、隆起した着床用表面３６を画成する略Ｕ字の形状を備えている。その着床用表面３６は、プリント回路基板ないしＰＣＢ３２と略同じ平面内に、少なくとも１つの光源３０を位置合わせする。隆起した着床用表面３６は、プリント回路基板ないしＰＣＢ３２の略Ｕ字形の開口４４内に受け入れられる。
【００３０】
ヒートシンク１２は、一対の案内ないし位置合わせポスト４２を備えていることに留意されたい。そられのポスト４２は、図５に示すように、少なくとも１つの光源３０に対してプリント回路基板ないしＰＣＢ３２を位置合わせして設置するよう、プリント回路基板ないしＰＣＢ３２にある各嵌合用開口４５と協働して、それらの開口４５内に受け入れられる。
【００３１】
図４に示すように、ヒートシンク１２は更に、第２対の翼状部ないしタブ部分４８を備えている。それらの部分４８は、表面１４ｂから、図３で矢印Ａによって表示される第１方向へ遠ざかって伸びている。複数の翼状部ないしタブ部分４８は、互いに略平行であって、略平坦な表面１４ａのある仮想平面に略直交している。
【００３２】
ヒートシンク１２は更に、図３に示すように表面１４ａから遠ざかって矢印Ｂの方向へ伸びる光遮蔽体５０を備えている。説明される例示において、遮蔽体５０は、ヒートシンク１２の第１部分１４に不可分ないし一体的に形成されている。光源取付ないし着床用区域２８に少なくとも１つの光源３０が取り付けられた後、遮蔽体５０と、少なくとも１つの光源３０とは、互いに対して自動的に位置合わせされて整列させられる。遮蔽体５０は、表面５０ａが光線ＬＲの少なくとも一部を遮って（図４）望ましくない方向へ（例えば、非光学面に向かって）投射されるのを防止するように適合され、寸法が決められ、そして形作られている。図４は、遮られた光線ＢＬＲを示している。遮蔽体５０が、ヒートシンク１２の一部として、直接的に連結され、説明される例示においては不可分ないし一体的に形成されている、ということに特に留意されたい。この設計は、少なくとも１つの光源３０の遮蔽体５０に対する予め決められた所望の公差（典型的には±０．２ｍｍ）内での自動的かつ精確な位置合わせを可能とすることから、特に有利である。ヒートシンク１２上の光源取付ないし着床用区域２８は、少なくとも１つの光源３０の遮蔽体５０に対する位置合わせを保証し、少なくとも１つの光源３０に対する遮蔽体５０の精確な定置を容易とする。
【００３３】
遮蔽体５０は、図３に示すように矢印Ｂの方向へ伸びている。遮蔽体５０は、略平坦な表面１４ａに略直交して第２部分１６に略平行な平面内にある、ということを理解されたい。
【００３４】
図５に示すように、少なくとも１つの光源３０は、光源取付けないし着床用区域２８上へと、従来の手段を用いて（例えば、粘着性物質や接着剤によって）取り付けられている。プリント回路基板ないしＰＣＢ３２は、略平坦な表面１６ａ上に、複数の位置合わせポスト４２を用いて定置されている。それらの位置合わせポスト４２は、プリント回路基板ないしＰＣＢ３２の略Ｕ字形の開口４５内に受け入れられる。プリント回路基板ないしＰＣＢ３２と少なくとも１つの光源３０とがヒートシンク１２上に取り付けられた後、プリント回路基板ないしＰＣＢ３２が少なくとも１つの光源３０へ電力を供給することができるよう、電気接続体３４を用いて、少なくとも１つの光源３０がプリント回路基板ないしＰＣＢ３２へ従来知られたやり方で接続される。
【００３５】
これらの構成要素がヒートシンク１２に取り付けられたときには、光線ＬＲの少なくとも一部の効果的で望ましい遮蔽、遮断、ないしマスキングをもたらすよう、少なくとも１つの光源３０が遮蔽体に対して位置合わせされるようになる有利性がある、ということに留意されたい。遮蔽体５０は、図４に示すように不必要な迷光光線ＬＲを遮る遮蔽ないし遮断面をもたらす表面５０ａを有している。遮蔽体５０が無ければ、迷光光線ＬＲが望ましくない方向に（例えば、予め設計された反射器の反射面（図１）から遠ざかってランプ組立体１０の外へ）投射されてしまうであろう。望ましくない方向に投射する光線ＬＲは、グレアや逆戻り眩惑を生じさせるものと見出されている。
【００３６】
本明細書で説明された実施形態は、グレアや逆戻り眩惑を軽減し、ないしは完全に排除するための低費用で効果的な手段をもたらす有利性がある。グレアや逆戻り眩惑を軽減するのを容易にするため、表面５０ａは、迷光光線が望まれるよう（例えば、反射器へ向かって）方向付けられるように、不透明であったり、反射性であったり、肌理を付けられたりしていてもよい。
【００３７】
説明される例示においては、遮蔽体５０がヒートシンク１２の一部として不可分ないし一体的に形成されているが、不可分には形成されていない遮蔽体を用いることもできるであろう、ということを理解されたい。例えば、溶接、粘着剤、または他の型式の固定具ないし固定手段を用いて、遮蔽体（図示せず）を第２部分１６に留め付けることができるであろう。
【００３８】
説明される例示におけるもう一つの有利な特徴は、遮蔽体５０が費用効果の高い完全な解決策をもたらす、ということである。その遮蔽体は、追加部品の必要性を取り除き、熱の消散を増加させるからである。ヒートシンク１２は例えば、打ち抜かれた薄板（図示せず）を、それから加工して区域６０および６２で折り曲げて、遮蔽体５０および各翼状部４８（図４）をもたらし、或いは画成することで与えられてよい。この一体品構造は、部品類や組立てを排除してくれるという理由で有利であると見出されている。
【００３９】
この例においては、遮蔽体５０が略矩形状となっている。しかしながら、遮蔽体５０は如何なる所望の形状をも有するようにカスタマイズすることができるであろう、ということを理解されたい。遮蔽体５０の縁部５０ｂは、例示においては略真っ直ぐであるが、真っ直ぐではなかったり、別の形状構成（例えば、図６の代替実施形態に示すように湾曲した、段付きの、或いは非対称な線や縁部）で与えられたりすることができるであろう、ということに留意されたい。
【００４０】
遮蔽体５０は、少なくとも１つの光源３０、プリント回路基板ないしＰＣＢ３２、および電気接続体３４を輸送中や組立中に保護するためのプロテクタをもたらす、ということにも留意されたい。この場合もまた遮蔽体５０は、略真っ直ぐであるが、段付きの、湾曲した部分、弓形部分、或いは非対称形状の区域を有することができるであろう。
【００４１】
説明される例示において、ヒートシンク１２は、従来の材料（例えば、アルミニウムのような金属材料や、他の所望の材料）から、一体品の不可分ないし一体的な構造へと打ち抜かれ、ないしは加工される。しかしながら、ヒートシンク１２は、他の従来手法で（例えば、ダイキャスト加工などを用いて）製造することができるであろう、ということも理解されたい。
【００４２】
本明細書で説明されたシステムおよび方法は、単独で、ないしは組み合わせて用いられ得る以下の諸特徴のうちの１つないし複数をもたらす有利性がある。
・  グレアを軽減ないし排除するランプ組立体。
・  グレアや逆戻り眩惑を軽減するように、光ビームの少なくとも一部を遮蔽するよう適合されたヒートシンクを有するランプ組立体。
・  グレアや逆戻り眩惑を軽減する目的で、光源からのビームの少なくとも一部を遮蔽するための遮蔽体を有したヒートシンク。
・  自らに不可分に形成された遮蔽体を有するヒートシンク。
・  発光ダイオード（ＬＥＤ）などの光源をヒートシンクの遮蔽体に対して位置合わせしたり向きを合わせたりするランプ組立体で用いられるヒートシンク。
・  光源を支持するヒートシンクの一部として、直接的に付加され、ないしは不可分に形成された遮蔽体。
・  光源と直接的に関連付けられ、光源に対しての、遮蔽体についての定置、位置合わせ、および公差の、あり得る最適な制御を可能とするヒートシンク。
・  光源に対して遮蔽体を精確に定置して位置合わせするためのシステムおよび方法。
・  光源に対して遮蔽体を定置するため、および遮蔽体をヒートシンクへと統合することによって存在する部品の数を減少させるためのシステムおよび方法。
・  グレアや逆戻り眩惑を軽減するように光源からの光を遮蔽するだけでなく、輸送段階や組立段階における光源の保護をもなす遮蔽体。
・  ヒートシンクに不可分に形成された遮蔽体。
・  ＬＥＤ焼けや日焼けの危険性を低減させるために、特定用途向けにカスタマイズすることのできる遮蔽体を有したヒートシンク。
【００４３】
この発明（図示されたり本明細書で説明されたりする全ての実施形態を含む）は、単独で、または、一緒に、および／若しくは、本出願において明記される１つないし複数の請求項によって包含される諸特徴（発明の概要および特許請求の範囲で言及される諸特徴や各段階のうちの１つないし複数を含むが、それらには限定されない）のうちの１つないし複数と組み合わせて用いることができるであろう。
本明細書で説明されたシステム、装置、および方法は、この発明の好適な諸実施形態を構成するが、本発明は、まさにこのシステム、装置、および方法に限定されるものではなく、添付特許請求の範囲にて定義された発明の範囲から逸脱することなく、それらの変更がなされてもよい、ということを理解されたい。
【図１Ａ】
2018190717.tif 000003
【図１Ｂ】
2018190717.tif 000004
【図２Ａ】
2018190717.tif 000005
【図２Ｂ】
2018190717.tif 000006
【図３】
2018190717.tif 000007
【図４】
2018190717.tif 000008
【図５】
2018190717.tif 000009
【図６】
2018190717.tif 000010
【外国語明細書】
2018190717000001.pdf